(57)【要約】【解決手段】座席部１の後部にバックレスト部２を、前部にレッグレスト部３を、座席部１の両側にアームレスト部４を備えている。バックレスト部２の背面の下部と座席部１の下部をアクチュエーター６で連結する。座席部１下部の後側とレッグレスト部３の背面上部とを第１の２節リンク７で、座席部１下部の前側とレッグレスト部３の背面下部とを第２の２節リンク８で連結する。アームレスト部４の後部裏側とアクチュエーター６の可動部６ａとをブーム９で連結する。前記第１の２節リンク７とバックレスト部２の背面側の下部とをリンク１０で連結する。【効果】１つのアクチュエーター６の作動により、座席部１、バックレスト部２、レッグレスト部３および座席部１の両側のアームレスト部４からなる各部の高さを座席部１の高さに一致させ、互いにほぼ同一平面上に揃えることができる。【選択図】図２
2007068983.tif 000002
【特許請求の範囲】
【請求項１】
座席部の後部に連続してバックレスト部を備え、前部に連続してレッグレスト部を備えるとともに、座席部の両側にアームレスト部を備えたベッド兼用のリクライニングチェアであって、
座席部とバックレスト部を、バックレスト部の背面側の下部に可動端を備え、座席部の下部に固定端を備えたアクチュエーターで連結し、このアクチュエーターの作動により、前記バックレスト部を起立姿勢から座席部に連続する平面姿勢に姿勢を変えるようにし、
アームレスト部は、アームレスト部の両側面の下部に支点軸を備え、アームレスト部の後部裏側とアクチュエーターの可動部とをブームで連結し、前記アクチュエーターがバックレスト部を起立姿勢から平面姿勢に姿勢を変える作動に連動して、その上面をアームレスト位置から座席部と高さを揃えた低位置に平行移動するようにし、
座席部とレッグレスト部を、座席部下部の後側とレッグレスト部の背面上部とにそれぞれ支点を備えた第１の２節リンクで連結し、この第１の２節リンクとバックレスト部の背面側の下部とをリンクで連結し、さらに、前記第１の２節リンクに併設して、座席部下部の前側とレッグレスト部の背面下部とにそれぞれ支点を備えた第２の２節リンクで連結し、前記アクチュエーターの作動により、前記バックレスト部が起立姿勢から平面姿勢に姿勢を変える動作に従動して、レッグレスト部をレッグレスト姿勢から座席部に連続する平面姿勢に姿勢を変えるようにしたこと、
を特徴とするベッド兼用のリクライニングチェア。
【請求項２】
座席部の後部に連続してバックレスト部を備え、前部に連続してレッグレスト部を備えるとともに、座席部の両側にアームレスト部を備えたベッド兼用のリクライニングチェアであって、
座席部とバックレスト部を、バックレスト部の背面側の下部に可動端を備え、座席部の下部に固定端を備えたアクチュエーターで連結し、このアクチュエーターの作動により、前記バックレスト部を起立姿勢から座席部に連続する平面姿勢に姿勢を変えるようにし、
アームレスト部は、アームレスト部の両側面の下部に支点軸を備え、アームレスト部の後部裏側とアクチュエーターの可動部とをブームで連結し、前記アクチュエーターがバックレスト部を起立姿勢から平面姿勢に姿勢を変える作動に連動して、その上面をアームレスト位置から座席部と高さを揃えた低位置に平行移動するようにし、
座席部とレッグレスト部を、座席部下部の後側とレッグレスト部の背面上部とにそれぞれ支点を備えた第１の２節リンクで連結し、この第１の２節リンクに併設して、座席部下部の前側とレッグレスト部の背面下部とにそれぞれ支点を備えた第２の２節リンクで連結するとともに、前記第１の２節リンクに第２のアクチュエーターを接続し、このアクチュエーターの作動により、レッグレスト部をバックレスト部およびアームレスト部の動きとは独立して動くようにしたこと、
を特徴とするベッド兼用のリクライニングチェア。
【請求項３】
バックレスト部、座席部、レッグレスト部からなるベッド面が、前記バックレスト部側に行くに従って徐々に低くなるように姿勢を変え得るようにしたこと、
を特徴とする請求項１または２記載のベッド兼用のリクライニングチェア。
【請求項４】
アームレスト部がバックレスト部に対して回転自在に取り付けられていることを特徴とする請求項１または２記載のベッド兼用のリクライニングチェア。
【請求項５】
第１のアクチュエーターの作動によるバックレスト部の起立姿勢から平面姿勢への姿勢変更動作に合わせて、第２のアクチュエーターがレッグレスト部をレッグレスト姿勢から座席部に連続する平面姿勢に姿勢を変えるように作動する、
ことを特徴とする請求項２記載のベッド兼用のリクライニングチェア。
【請求項６】
座席部とバックレスト部とレッグレスト部の表側を、連続する１枚の表層マットで覆っていることを特徴とする請求項１、２、５のいずれかに記載のベッド兼用のリクライニングチェア。 
【請求項７】
座席部とバックレスト部とレッグレスト部の表側を１枚で覆う表層マットの側縁の適宜位置に転落防止の凸条を具え、前記座席部とバックレスト部とレッグレスト部の各部の骨格部分をそれぞれ覆う本体マットとの間をベルベットファスナーなどの連結手段を用いて着脱自在に連結したことを特徴とする請求項６記載のベッド兼用のリクライニングチェア。 
【請求項８】
レッグレスト部は、下端部にレッグレスト部に向けて折り畳みを可能にしたフットレスト部を備えていることを特徴とする請求項１、２、５、６、７のいずれかに記載のベッド兼用のリクライニングチェア。
【請求項９】
前記座席部は、裏側に台車を備えてチェア全体の移動を可能にしていることを特徴とする請求項１、２、３、５、６、７のいずれかに記載のベッド兼用のリクライニングチェア。
【請求項１０】
前記アームレスト部は、ベッドに使用するときは、座席部とバックレスト部との間の隙間を可及的に最小限にとどめていることを特徴とする請求項１〜４のいずれかに記載のベッド兼用のリクライニングチェア。
【発明の詳細な説明】
【技術分野】
【０００１】
本発明は、ベッド兼用のリクライニングチェアに関し、ベッドとして使用するときは、座席部、バックレスト部、レッグレスト部および座席部の両側のアームレスト部からなる各部が座席部に連続する平面となるようにしたものである。また、バックレスト部、座席部およびレッグレスト部からなるベッド面が、前記バックレスト部側に行くに従って徐々に低くなるように姿勢を変え得るようにしたものである。また、レッグレスト部の高さを自由に変えることができるようにしたものである。さらに、アームレスト部をバックレスト部に対して回転させ得るようにしたものである。
【背景技術】
【０００２】
この種のリクライニングチェアにおいて、座席部、バックレスト部、レッグレスト部およびアームレスト部を屈伸自在に備えてベッドに兼用できるようにしたものとして、例えば、特許文献１、２、３と４がある。
【０００３】
【特許文献１】特開２００３−９３１８６号公報（例えば、第１頁、図９参照）
【特許文献２】特開２０００−３４２３７３号公報（例えば、第１頁、図１２参照）
【特許文献３】特開平８−２４０６７号公報（例えば、第１頁、図５参照）
【特許文献４】特開平６−３３９４１６号公報（例えば、第１頁、図３参照）
【発明の開示】
【発明が解決しようとする課題】
【０００４】
上記各特許文献のリクライニングチェアは、それぞれ各部分の骨格構造が複雑で重量が嵩み、ベッドへの変換操作とか復元操作が難しく、高価になるという欠点がある。
また、ベッドに変換したときに各部の継目が顕著に表れるとか、段差を生じて使い勝手が悪いとか、寝心地が損なわれるなどの問題があった。特に、アームレスト部を備えているもので、リクライニングさせた時にバックレスト部材とアームレスト部とが同じ高さになるものは存在しなかった。
そして、バックレスト部、座席部およびレッグレスト部からなるベッド面が、前記バックレスト部側に行くに従って徐々に低くなるように姿勢を変えることができれば、透析治療用に用いる際に極めて好適である。
また、レッグレスト部の高さを自由に変えることができれば、ベッド感覚を保ちつつ、より自由な体位を保つことができるので、リクライニングチェアとして最適である。
さらに、アームレスト部がバックレスト部に対して回転させることができれば、チェア仕様の際横方向から乗り降りするのに極めて便利である。
【０００５】
以上のことから、本発明が解決しようとする課題は、この種のリクライニングチェアにおける構造をより簡易にすること、ベッドへの変換操作と復元操作を容易にできるようにすること、ベッドに変換したときに座席部、バックレスト部、レッグレスト部および座席部の両側のアームレスト部からなる各部が段差を生じないように連続する平面となるようにすること、バックレスト部、座席部およびレッグレスト部からなるベッド面が、前記バックレスト部側に行くに従って徐々に低くなるように姿勢を変え得ること、レッグレスト部の高さを自由に変え得ること、アームレスト部をバックレスト部に対して回転させ得ること、ベッドに変換したときに各部に継目を表さないようにすることなどにある。
【課題を解決するための手段】
【０００６】
上記の課題を解決するために、第１の発明では、
座席部の後部に連続してバックレスト部を備え、前部に連続してレッグレスト部を備えるとともに、座席部の両側にアームレスト部を備えたベッド兼用のリクライニングチェアであって、
座席部とバックレスト部を、バックレスト部の背面側の下部に可動端を備え、座席部の下部に固定端を備えたアクチュエーターで連結し、このアクチュエーターの作動により、前記バックレスト部を起立姿勢から座席部に連続する平面姿勢に姿勢を変えるようにし、
アームレスト部は、アームレスト部の両側面の下部に支点軸を備え、アームレスト部の後部裏側とアクチュエーターの可動部とをブームで連結し、前記アクチュエーターがバックレスト部を起立姿勢から平面姿勢に姿勢を変える作動に連動して、その上面をアームレスト位置から座席部と高さを揃えた低位置に平行移動するようにし、
座席部とレッグレスト部を、座席部下部の後側とレッグレスト部の背面上部とにそれぞれ支点を備えた第１の２節リンクで連結し、この第１の２節リンクとバックレスト部の背面側の下部とをリンクで連結し、さらに、前記第１の２節リンクに併設して、座席部下部の前側とレッグレスト部の背面下部とにそれぞれ支点を備えた第２の２節リンクで連結し、前記アクチュエーターの作動により、前記バックレスト部が起立姿勢から平面姿勢に姿勢を変える動作に従動して、レッグレスト部をレッグレスト姿勢から座席部に連続する平面姿勢に姿勢を変えるようにしたものである。
【０００７】
第１の発明の場合には、１つのアクチュエーターの作動により、前記バックレスト部を起立姿勢から座席部に連続する平面姿勢に姿勢を変えるのに連動して、アームレスト部もその上面がアームレスト位置から座席部と高さを揃えた低位置に平行移動し、さらに、レッグレスト部もレッグレスト姿勢から座席部に連続する平面姿勢に姿勢を変える。
従って、１つのアクチュエーターの作動により、座席部、バックレスト部、レッグレスト部および座席部の両側のアームレスト部からなる各部を座席部に連続する平面となるようにすることができる。
【０００８】
また、第２の発明では、
座席部の後部に連続してバックレスト部を備え、前部に連続してレッグレスト部を備えるとともに、座席部の両側にアームレスト部を備えたベッド兼用のリクライニングチェアであって、
座席部とバックレスト部を、バックレスト部の背面側の下部に可動端を備え、座席部の下部に固定端を備えたアクチュエーターで連結し、このアクチュエーターの作動により、前記バックレスト部を起立姿勢から座席部に連続する平面姿勢に姿勢を変えるようにし、
アームレスト部は、アームレスト部の両側面の下部に支点軸を備え、アームレスト部の後部裏側とアクチュエーターの可動部とをブームで連結し、前記アクチュエーターがバックレスト部を起立姿勢から平面姿勢に姿勢を変える作動に連動して、その上面をアームレスト位置から座席部と高さを揃えた低位置に平行移動するようにし、
座席部とレッグレスト部を、座席部下部の後側とレッグレスト部の背面上部とにそれぞれ支点を備えた第１の２節リンクで連結し、この第１の２節リンクに併設して、座席部下部の前側とレッグレスト部の背面下部とにそれぞれ支点を備えた第２の２節リンクで連結するとともに、前記第１の２節リンクに第２のアクチュエーターを接続し、このアクチュエーターの作動により、レッグレスト部をバックレスト部およびアームレスト部の動きとは独立して動くようにしたものである。
【０００９】
第２の発明の場合には、第１のアクチュエーターの作動により、前記バックレスト部を起立姿勢から座席部に連続する平面姿勢に姿勢を変えるのに連動して、アームレスト部もその上面がアームレスト位置から座席部と高さを揃えた低位置に平行移動させることができる。そして、第２のアクチュエーターの作動により、レッグレスト部をバックレスト部およびアームレスト部の動きとは独立して動かすことができる。従って、レッグレスト部の高さを自由に変えることができ、ベッド感覚を保ちつつ、より自由な体位を保つことができる。また、第２のアクチュエーターの作動により、レッグレスト部をレッグレスト姿勢から座席部に連続する平面姿勢に姿勢を変えることもできる。
【００１０】
第１の発明、第２の発明の場合において、バックレスト部、座席部およびレッグレスト部からなるベッド面が、前記バックレスト部側に行くに従って徐々に低くなるように姿勢を変え得るようにしておくと良い。バックレスト部、座席部およびレッグレスト部からなるベッド面が、前記バックレスト部側に行くに従って徐々に低くなるように姿勢を変えることができれば、透析治療中血圧が下がった患者の血圧を上げるために、患者の頭を水平に寝ている状態よりも下げることができるので、透析治療用に用いる際に極めて好適である。
【００１１】
アームレスト部がバックレスト部に対して回転自在に取り付けられていることが望ましい。このようになっていると、チェア仕様の際アームレスト部を回転させて持ち上げることができるので、横方向から乗り降りするのに極めて便利である。
【００１２】
第２の発明の場合において、第１のアクチュエーターの作動によるバックレスト部の起立姿勢から平面姿勢への姿勢変更動作に合わせて、第２のアクチュエーターがレッグレスト部をレッグレスト姿勢から座席部に連続する平面姿勢に姿勢を変えるように作動するようにすることもできる。
この場合には、前記バックレスト部を起立姿勢から座席部に連続する平面姿勢に姿勢を変えるのに合わせて、レッグレスト部もレッグレスト姿勢から座席部に連続する平面姿勢に姿勢を変えることができる。
従って、座席部、バックレスト部、レッグレスト部および座席部の両側のアームレスト部からなる各部を座席部に連続する平面とすることができる。
【００１３】
請求項６記載の発明では、座席部とバックレスト部とレッグレスト部の表側が１枚の表層マットで覆われているので、ベッドに変換したときに各部の継目が顕著に表れるとか、段差を生じて使い勝手が悪いとか、寝心地が損なわれるなどの問題はない。
【００１４】
請求項７の発明では、座席部とバックレスト部とレッグレスト部の表側を１枚で連続して覆う表層マットの側縁の適宜位置に転落防止の凸条を具え、上記座席部とバックレスト部とレッグレスト部の各部の骨格部分をそれぞれ覆う本体マットとの間をベルベットファスナーなどの連結手段を用いて着脱自在に連続することにより、汚れる機会の多い表層マットを取り外せるようにするとともに、ベッドの長期間の使用の安定化を図り、就寝中の転落などを防止できる。
【００１５】
請求項８の発明では、レッグレスト部の下端部に、レッグレスト部に向けて折り畳みを可能にしたフットレスト部を備えることにより、本発明に係るリクライニングチェアの使用により一層の安定性を付与することができる。
【００１６】
請求項９の発明では、本発明に係るリクライニングチェアの座席部の裏側に台車を備えることにより、チェア全体の移動を可能にして、例えば、病室を変える場合などの移動の容易さを図ることができる。
【００１７】
請求項１０の発明は、本発明に係るリクライニングチェアをベッドに使用するときに、座席部とバックレスト部とに高さを揃えるアームレスト部が、隣接する部分との間に隙間を形成しないようにすることにより、物が挟まったり、あるいは治療の妨げになるようなことを防止することができる。
【発明の効果】
【００１８】
請求項１記載の発明によれば、１つのアクチュエーターの作動により、座席部、バックレスト部、レッグレスト部および座席部の両側のアームレスト部からなる各部を座席部に連続する平面とすることができる。
【００１９】
請求項２記載の発明によれば、第２のアクチュエーターの作動によりレッグレスト部をバックレスト部およびアームレスト部の動きとは独立して動かすことができるので、レッグレスト部の高さを自由に変えることができ、ベッド感覚を保ちつつ、より自由な体位を保つことができる。また、第２のアクチュエーターの作動により、レッグレスト部をレッグレスト姿勢から座席部に連続する平面姿勢に姿勢を変えることもできる。
【００２０】
また、請求項１又は２記載のリクライニングチェアによれば、ベッドへの変換操作と復元操作が容易にできる。
【００２１】
請求項３記載の発明によれば、透析治療中血圧が下がった患者の血圧を上げるために、患者の頭を水平に寝ている状態よりも下げることができるので、透析治療用に用いる際に極めて好適である。
【００２２】
請求項４記載の発明によれば、チェア仕様の際アームレスト部を回転させて持ち上げることができるので、横方向から乗り降りするのに極めて便利である。
【００２３】
請求項５記載の発明によれば、第２のアクチュエーターの作動により、バックレスト部を起立姿勢から座席部に連続する平面姿勢に姿勢を変えるのに合わせて、レッグレスト部もレッグレスト姿勢から座席部に連続する平面姿勢に姿勢を変えることができるので、座席部、バックレスト部、レッグレスト部および座席部の両側のアームレスト部からなる各部を座席部に連続する平面とすることができる。
【００２４】
請求項６記載の発明によれば、座席部とバックレスト部とレッグレスト部の表側が１枚の表層マットで覆われているので、チェアとしての使用は勿論、ベッドに使用したときに、各部材間の継目を解消して一様な平坦面を形成することができる。表面に継目が表れないし、段差も生じない。
【００２５】
請求項７記載の発明によれば、汚れる機会の多い表層マットを取り外せるようにするとともに、ベッドの長期間の使用の安定化を図り、就寝中の転落などを防止できる。
【００２６】
請求項８記載の発明によれば、本発明に係るリクライニングチェアの使用により一層の安定性を付与することができる。
【００２７】
請求項９記載の発明によれば、チェア全体の移動を可能にして、例えば、病室を変える場合などの移動の容易さを図ることができる。
【００２８】
請求項１０記載の発明によれば、物が挟まったり、あるいは治療の妨げになるようなことを防止することができる。
【発明を実施するための最良の形態】
【００２９】
本発明によるベッド兼用のリクライニングチェアの実施の形態を、図面に基いて詳細に説明する。図１〜図３に、第１の形態を、図４〜図９に、第２の形態を示す。そして、両形態を説明するに当って、同じ部材、同じ機器を使用している部分については、同じ図面符号を用いることとする。
【００３０】
第１の形態とは、１つのアクチュエーター６の作動により、バックレスト部２を起立姿勢から座席部１に連続する平面姿勢に姿勢を変えるのに連動して、アームレスト部４もその上面がアームレスト位置から座席部１と高さを揃えた低位置に平行移動し、さらに、レッグレスト部３もレッグレスト姿勢から座席部１に連続する平面姿勢に姿勢を変える形式のものである。
【００３１】
一方、第２の形態とは、第１のアクチュエーター６の作動により、前記バックレスト部２を起立姿勢から座席部１に連続する平面姿勢に姿勢を変えるのに連動して、アームレスト部４もその上面がアームレスト位置から座席部１と高さを揃えた低位置に平行移動させることができる。そして、第２のアクチュエーター１１の作動によりレッグレスト部３をバックレスト部２およびアームレスト部４の動きとは独立して動かすことができる形式のものである。
【００３２】
第１の形態、第２の形態において共通するところは、座席部１の後部に連続してバックレスト部２を備え、前部に連続してレッグレスト部３を備えるとともに、座席部１の両側にアームレスト部４を備えたベッド兼用のリクライニングチェアであって、
座席部１とバックレスト部２を、バックレスト部２の背面側の下部に可動端を備え、座席部の下部に固定端を備えたアクチュエーター６で連結し、このアクチュエーター６の作動により、前記バックレスト部２を起立姿勢から座席部１と連続する平面姿勢に姿勢を変えるようにし、
アームレスト部４は、アームレスト部４の両側面の下部に支点軸を備え、アームレスト部４の後部裏側とアクチュエーター６の可動部６ａとをブーム９ないし９’で連結し、前記アクチュエーター６がバックレスト部２を起立姿勢から平面姿勢に姿勢を変える作動に連動して、アームレスト部４の上面をアームレスト位置から座席部１と高さを揃えた低位置に平行移動するようにしたこと、
である。
【００３３】
これに対して、第１の形態と第２の形態とで大きく異なっているところは、以下の点である。すなわち、
第１の形態では、座席部１とレッグレスト部３を、座席部１下部の後側とレッグレスト部３の背面上部とにそれぞれ支点を備えた第１の２節リンク７で連結し、この第１の２節リンク７とバックレスト部２の背面側の下部とをリンク１０で連結し、さらに、前記第１の２節リンク７に併設して、座席部１下部の前側とレッグレスト部３の背面下部とにそれぞれ支点を備えた第２の２節リンク８で連結し、前記アクチュエーター６の作動により、前記バックレスト部２が起立姿勢から平面姿勢に姿勢を変える動作に従動して、レッグレスト部３をレッグレスト姿勢から座席部１に連続する平面姿勢に姿勢を変えるようにしているのに対し、
第２の形態では、座席部１とレッグレスト部３を、座席部１下部の後側とレッグレスト部３の背面上部とにそれぞれ支点を備えた第１の２節リンク７で連結し、この第１の２節リンク７に併設して、座席部１下部の前側とレッグレスト部３の背面下部とにそれぞれ支点を備えた第２の２節リンク８で連結するとともに、前記第１の２節リンク７に第２のアクチュエーター１１の可動部１１ａを接続し、このアクチュエーター１１の作動により、レッグレスト部３をバックレスト部２およびアームレスト部４の動きとは独立して動くようにしたこと、
である。
【００３４】
さらに、相違点を集約すれば、第１の形態では、座席部１とレッグレスト部３とを連結している第１の２節リンク７とバックレスト部２の背面側の下部とをリンク１０で連結しているのに対して、第２の形態では、前記第１の２節リンク７に第２のアクチュエーター１１の可動部１１ａを接続している点である。この違いにより、
第１の形態では、１つのアクチュエーター６の作動により、バックレスト部２を起立姿勢から座席部１に連続する平面姿勢に姿勢を変えるのに連動して、アームレスト部４もその上面がアームレスト位置から座席部１と高さを揃えた低位置に平行移動し、さらに、レッグレスト部３もレッグレスト姿勢から座席部１に連続する平面姿勢に姿勢を変えるのに対して、
第２の形態では、第２のアクチュエーター１１の作動によりレッグレスト部３をバックレスト部２およびアームレスト部４の動きとは独立して動かすことができる。
【００３５】
さらに、図面にしたがって第１の形態と第２の形態について、具体的に説明する。図１は、第１の形態において、チェアとして使用する場合の側面図、図２および図３は、第１の形態において、ベッドとして使用する場合の側面図である。また、図４〜図７は、第２の形態において、チェアとして使用する場合の側面図、図８および図９は、第２の形態において、ベッドとして使用する場合の側面図である。そして、図１０は、ベッドとして使用する場合の平面図で、第１の形態の場合も第２の形態の場合も同じように現われる。
【００３６】
図において、図面符号１は座席部、２は座席部１の後部（図面では左側に現われる）に連続するバックレスト部、３は座席部１の前部に連続するレッグレスト部、４は座席部１の両側に備えたアームレスト部、５は座席部１とバックレスト部２とレッグレスト部３の各部の表側を１枚で連続して覆う表層マットである。表層マットの素材はウレタンまたは低反発ウレタンとすることができる。
【００３７】
また、図面符号６は、バックレスト部２の背面側の下部（図面では左側に現われる）に可動部６ａを連結し、固定端６ｂを座席部１の下部に軸支したアクチュエーター、７は座席部１下部の後側とレッグレスト部３の背面上部との間を屈伸自在に連結する第１の２節リンク、８はこの第１の２節リンク７に併設されて、座席部１下部の前側とレッグレスト部３の背面下部との間を屈伸自在に連結する第２の２節リンクである。
【００３８】
一方、図１、２において、図面符号９は、アームレスト部４の両側面の下部に支点軸９ａを備え、アームレスト部４の後部（図面では左端側）の下部裏側と、アクチュエーター６の可動部６ａとを連結するブームである。これに対して、図３〜図７においては、このブーム９に代えて別のブーム９’が用いられている。すなわち、アームレスト部４の両側面に取り付けられているＴ字状の取付腕９ｂ’の下部に支点軸９ｃ’を備え、アームレスト部４の後部（図面では左端側）の下部裏側と、アクチュエーター６の可動部６ａとを連結するブーム９’が用いられている。
【００３９】
また、上述したごとく、図１〜図３の場合には、前記第１の２節リンク７とバックレスト部２の背面側の下部とをリンク１０で連結してある。これに対して、図４〜図９においては、このリンク１０に代えて第２のアクチュエーター１１が用いられている。すなわち、前記第１の２節リンク７に第２のアクチュエーター１１の可動部１１ａが接続されている。このアクチュエーター１１の作動により、レッグレスト部３をバックレスト部２およびアームレスト部４の動きとは独立して動かすことができる。
【００４０】
一方、図１〜図３に示す場合には、アームレスト部４がヒンジ１６’によりバックレスト部２の左右両側に位置する取付腕２ａ、２ａに、また、図４〜図９に示す場合には、アームレスト部４がヒンジ１６”によりバックレスト部２の左右両側に位置する前記取付腕９ｂ’に回転自在に取り付けられている。
なお、図１〜図９における図面符号１２は、第１のアクチュエーター６の固定端６ｂを受ける軸受、１３はレッグレスト部３の下端部に取付部材１４を介して折り畳み可能に連結したフットレスト部、１５は座席部１の裏側下部に接続した台車、１６はバックレスト部２を座席部１に連結するヒンジである。また、図２、図８における図面符号１７は、ベッド仕様にした場合に用いる枕で、チェア仕様の時にも用いることができる。図１０における図面符号１８は、表層マット５の周縁の適宜位置と枕１７を置く付近の側縁および左右２つあるアームレスト部４，４の側縁に、それぞれ表層マット５から山形に一体形成した脱落防止用の突縁部である。
【００４１】
以上の構成を備えている第１の形態と第２の形態の作動について説明すると、第１の形態を示す図１のチェア仕様のとき、第１のアクチュエーター６は伸長状態にあり、座席部１とバックレスト部２、座席部１とレッグレスト部３およびバックレスト部２とアームレスト部４は、各リンク７、８、ブーム９およびリンク１０に支持されてそれぞれ安定して所定の交差角度を保っている。
【００４２】
次いで、第１のアクチュエーター６を短縮作動させると、このアクチュエーター６に牽引されてバックレスト部２がヒンジ１６を支点として後方に倒れ、図２および図７に示すように、起立姿勢からほぼ水平に、座席部１に連続する平面姿勢にその姿勢を変え、座席部１と高さを揃える。
【００４３】
第１の形態の場合には、バックレスト部２が平面姿勢に変位する動作に従って、第１の２節リンク７と第２の２節リンク８も図２に示すようにそれぞれ伸長し、レッグレスト部３は、レッグレスト姿勢から座席部１に連続する平面姿勢に姿勢を変え、バックレスト部２およびレッグレスト部３が座席部１と高さを揃える。また、アームレスト部４は、その上面をアームレスト位置から座席部１と高さを揃えた低い位置に平行移動する。
【００４４】
第２の形態を示す図４〜図７におけるチェア仕様のとき、第１のアクチュエーター６が作動すると、第１の形態の場合と同様に、前記バックレスト部２を起立姿勢から座席部１に連続する平面姿勢に姿勢を変え、それに連動してアームレスト部４もその上面がアームレスト位置から座席部１と高さを揃えた低位置に平行移動させることができる。
一方、第２の形態の場合には、第１のアクチュエーター６が作動しても、レッグレスト部３は動かない。レッグレスト部３は、第２のアクチュエーター１１の作動により動かすことができる。すなわち、第２のアクチュエーター１１の作動により、レッグレスト部３をバックレスト部２およびアームレスト部４の動きとは独立して動かすことができる。
【００４５】
図４に示す場合が第２のアクチュエーター１１の最も短縮した状態であり、第２のアクチュエーター１１が作動してその可動部１１ａが次第に伸長するのに応じて、第１の２節リンク７と第２の２節リンク８も図５、図６、図７に示すように順次伸長し、レッグレスト部３を順次高くすることができる。すなわち、図４の状態から図５、図６、図７に示すように、レッグレスト部３の高さを自由に変えることができ、ベッド感覚を保ちつつ、より自由な体位を保つことができる。なお、図５は、レッグレスト部３が図４の状態より高くなった状態を、図６は、レッグレスト部３が座席部１と同じ高さになった状態を、図７は、レッグレスト部３が図６の状態よりさらに高くなった状態を示す。
【００４６】
また、第２のアクチュエーター１１の作動により、図８に示すように、レッグレスト部３をレッグレスト姿勢から座席部１と連続する平面姿勢に姿勢を変えることもできる。この場合において、第１のアクチュエーター６の作動によるバックレスト２部の起立姿勢から平面姿勢への姿勢変更動作に合わせて、第２のアクチュエーター１１もレッグレスト部３をレッグレスト姿勢から座席部１に連続する平面姿勢に姿勢を変えるように作動するようにすることもできる。
このようにすれば、前記バックレスト部２を起立姿勢から座席部１に連続する平面姿勢に姿勢を変えるのに合わせて、レッグレスト部３もレッグレスト姿勢から座席部１に連続する平面姿勢に姿勢を変えることができる。従って、座席部１、バックレスト部２、レッグレスト部３および座席部１の両側のアームレスト部４からなる各部を座席部１に連続する平面とすることができる。そして、バックレスト部２およびレッグレスト部３の高さが座席部１の高さに一致し、互いにほぼ同一平面上に揃えることができる。
なお、図８に示すベッド仕様状態において、レッグレスト部３を図７の場合と同じように、座席部１の高さに一致するベッド面より高くすることもできる。
【００４７】
上記のようにしてチェア状態からベッド状態に姿勢を変え、フットレスト部１３をレッグレスト部３側に倒し、枕１７をバックレスト部２の先端に置けばベッド仕様状態が完了する。
第１の形態の場合には、１つのアクチュエーター６を伸長作動させることにより、ベッド仕様状態からチェア状態に復帰する。
また、第２の形態の場合には、第１のアクチュエーター６を伸長作動させる一方、第２のアクチュエーター１１を短縮作動させることにより、ベッド仕様状態からチェア状態に復帰する。
【００４８】
ここでは、図３および図９に示すように、バックレスト部２、座席部１およびレッグレスト部３で形成されるベッド面が、前記バックレスト部２側に行くに従って徐々に低くなるように姿勢を変えることができるようにしてある。このようにすることができれば、透析治療中血圧が下がった患者の血圧を上げるために、患者の頭を水平に寝ている状態よりも下げることができるので、透析治療用に用いる際に極めて好適である。この動作は、第１の形態の場合には、アクチュエーター６と第１、第２の２節リンク７、８とブーム９およびリンク１０による一連の作動により、また、第２の形態の場合には、第１、第２のアクチュエーター６、１１と第１、第２の２節リンク７、８とブーム９による一連の作動により行われる。
【００４９】
一方、図１〜図３に示す場合には、アームレスト部４がヒンジ１６’によりバックレスト部２の左右両側に位置する取付腕２ａ、２ａに、また、図４〜図９に示す場合には、アームレスト部４がヒンジ１６”によりバックレスト部２の左右両側に位置する前記取付腕９ｂ’に回転自在に取り付けられている。このようになっていると、図１および図４において鎖線で示すように、チェア仕様の際アームレスト部４を回転させて持ち上げることができるので、横方向から乗り降りするのに極めて便利である。なお、図５〜図７では、その状態を鎖線で図示するのを省略する。
【００５０】
また、停電等緊急時のために、アクチュエーター６、１１を電池その他の補助電源付きのものにすることもできる。このようなアクチュエーターを用いれば、停電等緊急時でもこのベッド兼用のリクライニングチェアを一定時間使えるので、直ちに使用停止に追い込まれることがなく、患者に安心感を抱かせることができる。
【産業上の利用可能性】
【００５１】
上記のように使用されるこのリクライニングチェアは、例えば病院等で透析治療を受ける際にきわめて有用で、２〜３日に一度、４〜５時間を要する透析にこのチェアを使用すれば、例えば帰宅途中になどに病院に立ち寄って気軽に治療を受けることができる。
また、重病者、老齢者には、ベッド面とアームレスト部とが隙間を最小にして同じ高さに位置しているのでベッド幅が広くなり、治療の安定性と安全性を備えたベッドを使用できる。
本発明に係るリクライニングチェアは、治療者のみの使用に限らず、一般家庭での使用にも好適することはいうまでもない。
また、本発明の実施に際してリクライニングチェアを構成する各部の形態は、本発明の目的に沿ってここに例示した態様に限らない。
【図面の簡単な説明】
【００５２】
【図１】本発明によるベッド兼用のリクライニングチェアを、チェアとして使用する場合の第１の形態の一例を示す側面図である。
【図２】本発明によるベッド兼用のリクライニングチェアを、ベッドとして使用する場合の第１の形態の一例を示す側面図である。
【図３】第１の形態のベッド兼用のリクライニングチェアを、ベッドとして使用した場合において、ベッド面がバックレスト部側に行くに従って徐々に低くなるように姿勢を変えた状態を示す側面図である。
【図４】本発明によるベッド兼用のリクライニングチェアを、チェアとして使用する場合の第２の形態の一例を示す側面図である。
【図５】本発明によるベッド兼用のリクライニングチェアを、チェアとして使用する場合の第２の形態の一例を示す側面図で、レッグレスト部が図４の状態より高くなった状態を示す。
【図６】本発明によるベッド兼用のリクライニングチェアを、チェアとして使用する場合の第２の形態の一例を示す側面図で、レッグレスト部が座席部と同じ高さになった状態を示す。
【図７】本発明によるベッド兼用のリクライニングチェアを、チェアとして使用する場合の第２の形態の一例を示す側面図で、レッグレスト部が図６の状態よりさらに高くなった状態を示す。
【図８】本発明によるベッド兼用のリクライニングチェアを、ベッドとして使用する場合の第２の形態の一例を示す側面図である。
【図９】第２の形態のベッド兼用のリクライニングチェアを、ベッドとして使用した場合において、ベッド面がバックレスト部側に行くに従って徐々に低くなるように姿勢を変えた状態を示す側面図である。
【図１０】本発明によるベッド兼用のリクライニングチェアを、ベッドとして使用したときの平面図である。
【符号の説明】
【００５３】
１  座席部
２  バックレスト部
３  レッグレスト部
４  アームレスト部
５  表層マット
６  アクチュエーター（７ａ  可動部、７ｂ  固定端）
７  第１の２節リンク
８  第２の２節リンク
９  ブーム（９ａ  支点軸）
９’ブーム（９ｂ’取付腕、９ｃ’支点軸）
１０  リンク
１１  アクチュエーター
１２  軸受
１３  フットレスト部
１４  取付部材
１５  台車
１６  ヒンジ
１６’ヒンジ
１６”ヒンジ
１７  枕
１８  突縁部
【図１】
2007068983.tif 000003
【図２】
2007068983.tif 000004
【図３】
2007068983.tif 000005
【図４】
2007068983.tif 000006
【図５】
2007068983.tif 000007
【図６】
2007068983.tif 000008
【図７】
2007068983.tif 000009
【図８】
2007068983.tif 000010
【図９】
2007068983.tif 000011
【図１０】
2007068983.tif 000012